(57)【特許請求の範囲】
【請求項１】
果実の軸を保持する軸保持体と、この軸保持体の下側に配設され果実保護シートを保持するシート保持体とを備えている果実保護シート取付具であって、
前記シート保持体が、前記果実保護シートを下から支持し、前記果実保護シートと係わり合って当該果実保護シートを保持するためのシート保持部を備えている果実保護シート取付具。
【請求項２】
前記軸保持体が第一、第二のアームを備えており、これら第一、第二のアームが前記果実の軸を挟むことにより当該果実の軸を保持するようにしている請求項１記載の果実保護シート取付具。
【請求項３】
前記シート保持体が、前記果実保護シートの端縁と係わり合って当該果実保護シートを保持するためのシート保持部を備えており、
前記シート保持部が前記果実保護シートの端縁と係わり合う傾斜面を備えている請求項１又は２記載の果実保護シート取付具。
【請求項４】
前記軸保持体が、第一のアームとこの第一のアームを操作するための第一の操作部とを有した第一のクリップ部材と、第二のアームとこの第二のアームを操作するための第二の操作部とを有し前記第一のクリップ部材に対して相対移動し得る第二のクリップ部材と、前記第一、第二のアームを閉方向に付勢する弾性体とを備えたものであり、
前記第一、第二のアームが前記果実の軸を挟むことにより当該果実の軸を保持するようにしている請求項１、２又は３記載の果実保護シート取付具。
【請求項５】
前記シート保持体が、前記果実の軸が通過し得る軸通路を備えている請求項１、２、３又は４記載の果実保護シート取付具。
【請求項６】
前記シート保持体が、第一の保持体構成部材と第二の保持体構成部材とを備えたものであり、これら第一の保持体構成部材と第二の保持体構成部材とが、前記果実の軸を囲うようにして取り付けられるものである請求項１、２、３、４又は５記載の果実保護シート取付具。
【請求項７】
前記軸保持体が、第一のアームとこの第一のアームを操作するための第一の操作部とを有した第一のクリップ部材と、第二のアームとこの第二のアームを操作するための第二の操作部とを有し前記第一のクリップ部材に対して相対移動し得る第二のクリップ部材と、前記第一、第二のアームを閉方向に付勢する弾性体とを備えたものであり、前記第一、第二のアームが前記果実の軸を挟むことにより当該果実の軸を保持するようにしており、
前記シート保持体が、第一の保持体構成部材と第二の保持体構成部材とを備えたものであり、これら第一の保持体構成部材と第二の保持体構成部材とが、前記果実の軸を囲うようにして取り付けられるものであり、
前記第一のクリップ部材と前記第一の保持体構成部材とが一体に形成されている請求項１、２、３、４、５又は６記載の果実保護シート取付具。
【発明の詳細な説明】
【技術分野】
【０００１】
本発明は、果実の軸に果実保護シートを取り付けるための果実保護シート取付具に関する。
【背景技術】
【０００２】
従来から、ブドウ、リンゴ、ナシ、ミカン、モモ等の果樹の栽培にあたっては、収穫前の果実（基本的には幼果の段階から熟果の段階に至るまでのもの）を果実保護シートにより覆って保護することが行われている（例えば、特許文献１を参照）。
【０００３】
特に、ブドウについては、いわゆる晩腐病（おそぐされびょう）の発生を抑制することが重要課題となっており、その対策の一つとして、雨水がブドウの果実（果房）にかかることを果実保護シートによって抑制することが行われている。
【０００４】
より具体的に言えば、果樹における果実と枝とを繋いでいる軸状の部分（以下、「果実の軸」と称する）に、果実保護シートの端縁を巻回して、果実を雨水から保護するようにしている。換言すれば、従来における果実保護シートは、果実の軸に対して直接的に装着されるものであった。
【０００５】
ところが、装着された果実保護シートは、風の影響を受けて、果実の軸に対して上下動したり回転したりすることがあるため、果実の軸に擦り傷を与えてしまうことがあり、その傷から雨水が侵入して病気をひきおこす一因となっていた。
【０００６】
なお、以上の事情は、ブドウに限らず、他の果樹の果物においても同様である。
【先行技術文献】
【特許文献】
【０００７】
【特許文献１】登録実用新案第３０００５０４号公報
【発明の概要】
【発明が解決しようとする課題】
【０００８】
本発明は以上の点に着目してなされたものであり、少なくとも、果実保護シートが果実の軸とこすれ合い、果実の軸に擦り傷が生じてしまうという不具合の発生を防止ないし抑制することを目的とする。
【課題を解決するための手段】
【０００９】
すなわち本発明は次の構成をなしている。
【００１０】
請求項１に係る果実保護シート取付具は、果実の軸を保持する軸保持体と、この軸保持体の下側に配設され果実保護シートを保持するシート保持体とを備えている果実保護シート取付具であって、前記シート保持体が、前記果実保護シートを下から支持し、前記果実保護シートと係わり合って当該果実保護シートを保持するためのシート保持部を備えているものである。
【００１１】
ここで、「果実の軸」とは、果物における果実と枝との間を繋ぐ軸状の部分を示すものである。例えば、ブドウのように果実が穂状をなすものにおいては穂の中軸をなす部位である。
【００１２】
請求項２に係る果実保護シート取付具は、請求項１記載の構成において、前記軸保持体が第一、第二のアームを備えており、これら第一、第二のアームが前記果実の軸を挟むことにより当該果実の軸を保持するようにしているものである。
【００１４】
請求項３に係る果実保護シート取付具は、請求項１又は２記載の構成において、前記シート保持体が、前記果実保護シートの端縁と係わり合って当該果実保護シートを保持するためのシート保持部を備えており、前記シート保持部が前記果実保護シートの端縁と係わり合う傾斜面を備えているものである。
【００１５】
請求項４に係る果実保護シート取付具は、請求項１、２又は３記載の構成において、前記軸保持体が、第一のアームとこの第一のアームを操作するための第一の操作部とを有した第一のクリップ部材と、第二のアームとこの第二のアームを操作するための第二の操作部とを有し前記第一のクリップ部材に対して相対移動し得る第二のクリップ部材と、前記第一、第二のアームを閉方向に付勢する弾性体とを備えたものであり、前記第一、第二のアームが前記果実の軸を挟むことにより当該果実の軸を保持するようにしているものである。
【００１６】
請求項５に係る果実保護シート取付具は、請求項１、２、３又は４記載の構成において、前記シート保持体が、前記果実の軸が通過し得る軸通路を備えているものである。
【００１７】
請求項６に係る果実保護シート取付具は、請求項１、２、３、４又は５記載の構成において、前記シート保持体が、第一の保持体構成部材と第二の保持体構成部材とを備えたものであり、これら第一の保持体構成部材と第二の保持体構成部材とが、前記果実の軸を囲うようにして取り付けられるものである。
【００１８】
請求項７に係る果実保護シート取付具は、請求項１、２、３、４、５又は６記載の構成において、前記軸保持体が、第一のアームとこの第一のアームを操作するための第一の操作部とを有した第一のクリップ部材と、第二のアームとこの第二のアームを操作するための第二の操作部とを有し前記第一のクリップ部材に対して相対移動し得る第二のクリップ部材と、前記第一、第二のアームを閉方向に付勢する弾性体とを備えたものであり、前記第一、第二のアームが前記果実の軸を挟むことにより当該果実の軸を保持するようにしており、前記シート保持体が、第一の保持体構成部材と第二の保持体構成部材とを備えたものであり、これら第一の保持体構成部材と第二の保持体構成部材とが、前記果実の軸を囲うようにして取り付けられるものであり、前記第一のクリップ部材と前記第一の保持体構成部材とが一体に形成されているものである。
【発明の効果】
【００１９】
本発明によれば、果実保護シートが果実の軸とこすれ合い、果実の軸に擦り傷が生じてしまうという不具合の発生を防止ないし抑制することができるものとなる。
【図面の簡単な説明】
【００２０】
【図１】本発明の一実施形態を示す斜視図。
【図２】同実施形態における使用状態を説明するための斜視図。
【図３】同実施形態における使用状態を説明するための斜視図。
【図４】同実施形態における果実保護シートの一例を示す平面図。
【図５】同実施形態における正面図。
【図６】同実施形態における背面図。
【図７】同実施形態における右側面図。
【図８】同実施形態における左側面図。
【図９】同実施形態における平面図。
【図１０】同実施形態における底面図。
【図１１】同実施形態における動作説明用の底面図。
【図１２】同実施形態における動作説明用の底面図。
【図１３】同実施形態における動作説明用の底面図。
【図１４】図９におけるＡ−Ａ線断面図。
【図１５】同実施形態における分解斜視図。
【発明を実施するための形態】
【００２１】
本発明の一実施形態を、図１〜１５を参照して説明する。なお、説明の便宜上、図１１〜１３については、弾性体であるスプリングを省略して示している。
【００２２】
この実施形態は、本発明を、果物であるブドウの果樹栽培において使用される果実保護シート取付具（以下、単に「取付具」という）Ｇに適用したものである。
【００２３】
取付具Ｇは、果実の軸Ｈを保持する軸保持体１と、この軸保持体１の下側に配設され果実Ｆを雨水から保護するための果実保護シート（以下、単に「保護シート」という）Ｓを保持するシート保持体２とを備えている。
【００２４】
ブドウは、図２及び図３に示すように、末端に複数の果実Ｆを有しており、これら果実Ｆと枝Ｂとの間を穂軸である果実の軸Ｈで繋いでいる。なお、果実Ｆ及び果実の軸Ｈは幼果の段階のものから熟果の段階のものに至るまでのすべての状態のものを含む。
【００２５】
保護シートＳは、図２〜４に示すように、「笠」とも称されるものであり、シート状のものである。保護シートＳは、果実Ｆが雨水を浴びないように果実Ｆに被せて保護するためのものである。保護シートＳは、果実Ｆに雨水が及ぶのを抑制するために、取付具Ｇを介して果実の軸Ｈに装着されるようになっている。
【００２６】
保護シートＳは、樹脂製のものであり、装着前の状態では略矩形状をなしている。保護シートＳは、その端縁ｓ１１が取付具Ｇのシート保持体２に当接し得るように巻回されるものであり、その巻回された状態の形状がステープラー等の止着具（図示せず）によって固定されることにより取付具Ｇに対して取り付けられる。保護シートＳは、その中央部分に、収容孔ｓ１２が形成されている。収容孔ｓ１２の大きさは、取付具Ｇにおけるシート保持体２の筒状部２ｃの大きさに略対応させてある。保護シートＳの収容孔ｓ１２を形成している開口端すなわち端縁ｓ１１は、装着時に取付具Ｇと直接的に係わり合う部分である。保護シートＳには、その外縁ｓ１４から収容孔ｓ１２に至る１本のスリットｓ１３が設けられている。そして、当該スリットｓ１３によって、収容孔ｓ１２及び端縁ｓ１１を果実の軸Ｈに装着された状態にある取付具Ｇのシート保持体２に導くことができるようになっている。
【００２７】
続いて、図１〜３、及び、図５〜１５に示す取付具Ｇの軸保持体１及びシート保持体２について詳述する。
【００２８】
軸保持体１は、果実の軸Ｈを挟むための軸保持クリップである。軸保持体１は、内側に果実の軸Ｈに添接し得る湾曲面ａ１２、ｃ１２を有した第一、第二のアームａ、ｃを備えている。これら第一、第二のアームａ、ｃが果実の軸Ｈを挟むことにより当該果実の軸Ｈを保持するようにしている。
【００２９】
軸保持体１は、第一のアームａとこの第一のアームａを操作するための第一の操作部ｂとを有した第一のクリップ部材１１と、第二のアームｃとこの第二のアームｃを操作するための第二の操作部ｄとを有し前記第一のクリップ部材１１に対して相対移動し得る第二のクリップ部材１２と、前記第一、第二のアームａ、ｃの外側を内側に向かって押圧して当該第一、第二のアームａ、ｃを閉方向に付勢する円弧状をなした弾性体たるスプリング１３とを備えている。
【００３０】
第一のクリップ部材１１と第二のクリップ部材１２とは、それぞれ樹脂により形成されたものであり、ヒンジ部ｈを介して相対回動可能に構成されている。具体的には、第一のクリップ部材１１における第一のアームａと第一の操作部ｂとの中間部に、第二のクリップ部材１２側に向かって円弧状に突出したヒンジ突部ｈ１が設けられており、第二のクリップ部材１２における第二のアームｃと第二の操作部ｄとの中間部に、第一のクリップ部材１１側を向いて円弧状に凹んだヒンジ凹部ｈ２とが設けられている。ヒンジ突部ｈ１はヒンジ凹部ｈ２内に配され、ヒンジ凹部ｈ２と摺接して回動し得るようになっている。すなわち、ヒンジ部ｈは、前記ヒンジ突部ｈ１とヒンジ凹部ｈ２とを主体に構成されたものであり、当該ヒンジ部ｈにより第一のクリップ部材１１と第二のクリップ部材１２とが相対回動し得るようになっている。
【００３１】
第一のクリップ部材１１の第一のアームａは、平面視において円弧（劣弧）状をなすアーム本体ａ１を主体に構成されている。アーム本体ａ１の内面側には上下方向に延びる湾曲面ａ１２が設けられている。アーム本体ａ１の外面側には円弧状のスプリング１３の一端を支持する凹陥状のバネ支持部ａ１１が設けられている。湾曲面ａ１２は、果実の軸Ｈに直接的に接する部分となる。
【００３２】
第一のクリップ部材１１の第一の操作部ｂは、手指により第一のアームａをヒンジ部ｈを介して開閉操作するための部位である。第一の操作部ｂは、使用者の手指が接する操作部本体ｂ１を主体に構成されている。操作部本体ｂ１は、中間部にスプリング１３挿通用の孔である横方向に貫通するバネ挿通孔ｂ１１を有するとともに後端部に手指を掛けるのに好適な突出部位を有した指掛け部ｂ１２とを有している。
【００３３】
なお、軸保持体１を構成する第一のクリップ部材１１とシート保持体２を構成する第一の保持部材構成部材２１とは樹脂により一体に形成されている。
【００３４】
第二のクリップ部材１２の第二のアームｃは、平面視において円弧（劣弧）状をなすアーム本体ｃ１を主体に構成されている。アーム本体ｃ１の内面側には上下方向に延びる湾曲面ｃ１２が設けられている。アーム本体ｃ１の外面側には円弧状のスプリング１３の他端を支持する凹陥状のバネ支持部ｃ１１が設けられている。湾曲面ｃ１２は、果実の軸Ｈに直接的に接する部分となる。
【００３５】
第二のクリップ部材１２の第二のアームｃには、アーム本体ｃ１の下端部から外側に突出した雨水侵入抑制部である孔カバーｃ２が設けられている。孔カバーｃ２は、板状のものであり、雨水がシート保持体２の軸通路２ｂ内に侵入するのを抑制するために軸通路２ｂの上部の開口部を塞ぐものである。第二のクリップ部材１２は、果実の軸Ｈが生育するに連れて拡径した場合でも、スプリング１３の付勢力に抗して当該果実の軸Ｈの直径の伸長に追従し得るようになっている。このため、例えば、第二のアームｃが第一のアームａに近接した状態で果実の軸Ｈを支持しているような場合（幼果の段階の比較的細径の果実の軸Ｈを支持している場合など）でも、第二のクリップ部材１２の孔カバーｃ２が、前記第二のアームｃの外側からシート保持体２の軸通路２ｂに雨水が侵入することを好適に抑制し得るものとなっている。
【００３６】
第二のクリップ部材１２の第二のアームｃには、第二のアームｃが開方向に動作する過程において、所定の位置から第二の保持体構成部材２２を連動して開方向に動作させる連動機構ｒの構成部材を備えている。すなわち、第二のアームｃは、その下部に下方に向けて突設され、所定の位置から第二の保持体構成部材２２に係わり合う突起ｃ３を備えており、当該突起ｃ３が前記連動機構ｒを構成している。
【００３７】
第二のクリップ部材１２の第二の操作部ｄは、手指により第二のアームｃを開閉操作するための部位である。第二の操作部ｄは、使用者の手指が接する操作部本体ｄ１を主体に構成されている。操作部本体ｄ１は、中間部にスプリング１３挿通用の孔である横方向に貫通するバネ挿通孔ｄ１１と、後端部に指を掛けるのに好適な突出部位を有した指掛け部ｄ１２とを備えている。
【００３８】
操作部本体ｄ１は、後述するシート保持体２の第二の保持体構成部材２２の回動範囲を規制するための回動範囲規制機構ｔの構成部材を備えている。すなわち、操作部本体ｄ１には、第二の保持体構成部材２２に当接し得る回動範囲規制用の突部ｄ１３が下方に突出した態様で設けられており、当該突部ｄ１３が回動範囲規制機構ｔを構成している。取付具Ｇは、回動範囲規制機構ｔを備えているため、第二の保持体構成部材２２が過度に第一の保持体構成部材２１に対して過度に回動することが抑制され、果実の軸Ｈに対する取り付け作業時において煩わしさを軽減することができるようになっている。
【００３９】
なお、回動範囲規制機構ｔは、第二の保持体構成部材２２の開閉端部２２ａを第一の保持体構成部材２１の開閉端部２１ａに近接させる際に、スプリング１３が第二のクリップ部材における第二の操作部ｄに与える外方への付勢力を利用して、第二の保持体構成部材２２を閉方向に押し出す付勢機構も構成している。
【００４０】
スプリング１３は、円弧状をなした金属製のものであり、第一のアームａと第二のアームｃとを相寄る方向に付勢するためのものである。なお、スプリング１３の付勢力は、果実の軸Ｈを保持し得るとともに、果樹の成長に伴い果実の軸Ｈが拡径した場合にその拡径に追従し得る大きさに設定されている。
【００４１】
続いて、シート保持体２について詳述する。
【００４２】
シート保持体２は、概略円筒状のものである。シート保持体２は、保護シートＳと係わり合って当該保護シートＳを落下しないように保持するためのシート保持部２ａと、平面視における略中央部に設けられ果実の軸Ｈが通過し得る上下方向に延びる空間である軸通路２ｂと、前記シート保持部２ａの上側に外面側を略面一にして連設され、保護シートＳの端縁ｓ１１を取り付ける際の目標位置となり得る筒状部２ｃと、この筒状部２ｃの上側に連設され、筒状部２ｃの外周面よりも外側に張り出した態様で設けられた天壁２ｄと、前記シート保持部２ａの下に外面側を略面一にして連設された筒状をなす大径筒状部２ｅとを備えている。
【００４３】
シート保持部２ａは、保護シートＳの端縁ｓ１１と係わり合って当該保護シートＳを保持するための部位である。シート保持部２ａは、外側に形状が保持された状態の保護シートＳの端縁ｓ１１と係わり合う傾斜面２１３ａ、２２３ａを備えている。より具体的に言えば、シート保持部２ａは、下方に向かうにつれ外径寸法が大きくなる形状を有している。この実施形態では、シート保持部２ａの外面は円錐面となっており、その円錐面が保護シートＳの端縁ｓ１１と係わり合って、保護シートＳの落下を規制している。シート保持部２ａの内側には空間を有しており軸通路２ｂを構成している。
【００４４】
軸通路２ｂは、収穫段階にある果実の軸Ｈの太さを収容し得る大きさすなわち空間幅を有している。本実施形態における軸通路２ｂは、収穫段階に生育したブドウの果実の軸Ｈを収容し得る約７ｍｍの空間幅に設定されている。換言すれば、軸通路２ｂを有したシート保持体２は、収穫段階にまで生育したブドウの果実の軸Ｈを囲繞し得るものである。
【００４５】
筒状部２ｃは、保護シートＳの端縁ｓ１１の巻回に好適な円筒状のものであり、シート保持部２ａの上端に連続して形成されている。筒状部２ｃの外面は保護シートＳが風によって移動した際に端縁ｓ１１と摺接し得る部位になっている。筒状部２ｃは一定の上下寸法を有しており、保護シートＳを装着する際には筒状部２ｃの外周面に対して端縁ｓ１１を添接させるようにする。つまり、筒状部２ｃの外周面は取り付け時の目標部位となっている。筒状部２ｃの内側には空間を有しており軸通路２ｂを構成している。
【００４６】
天壁２ｄは、平面視において略ドーナツ形状をなしており、中央部の空間が軸通路２ｂを構成している。天壁２ｄは、筒状部２ｃの上端縁から連続して形成されており、筒状部２ｃの外周面よりも外側に延出した鍔状の部位を形成している。天壁２ｄは筒状部２ｃの外面よりも外側に張り出しており、雨水が筒状部２ｃの外面に及び難いようになっている。このようにすることで、雨水は、筒状部２ｄの外面を伝わって保護シートＳの端縁ｓ１１との間に入り込むことが好適に抑制されることになる。
【００４７】
天壁２ｄは、シート保持体２の第二の保持体構成部材２２の回動範囲を規制するための回動範囲規制機構ｔの構成部材を備えている。すなわち、天壁２ｄは、第二の操作部ｄに設けられた突部ｄ１３に当接し得る外縁部２２１ｂを有しており、当該外縁部２２１ｂが回動範囲規制機構ｔを構成している。
【００４８】
天壁２ｄは、第二のアームｃが開方向に動作する過程において、所定の位置から第二の保持体構成部材２２を連動して開方向に動作させる連動機構ｒの構成部材を備えている。すなわち、天壁２ｄは、その内方端部に前記アームｃの突起ｃ３が係わり合う係合部２２１ａを備えており、当該係合部２２１ａが連動機構ｒを構成している。
【００４９】
大径筒状部２ｅは、シート保持部２ａの下端に連続して形成された略円筒状のものであり、外面側に第一の保持体構成部材２１と第二の保持体構成部材２２とを回転可能に連結するためのヒンジ部ｊが設けられている。
【００５０】
大径筒状部２ｅにおける第一の保持体構成部材２１と第二の保持体構成部材２２の開閉端部２１ａ、２２ａ側にはこれら第一、第二の保持体構成部材２１、２２の開閉端部２１ａ、２２ａ同士を接続した状態で保持する接続機構ｋが設けられている。
【００５１】
具体的には、第一の保持体構成部材２１は、一端側にヒンジ部ｊを構成する上下方向に延びる第一ヒンジ部材たる軸部２１４ａを有し、他端側に接続機構ｋを構成する第一係合部たる係合凹部２１４ｂを有している。そして、第二の保持体構成部材２２は、一端側にヒンジ部ｊを構成する前記軸部２１４ａを包持する第二ヒンジ部材たる軸保持部２２４ａを有し、他端側に接続機構ｋを構成する前記係合凹部２１４ｂと係わり合う第二係合部たる係合突部２２４ｂを有している。軸保持部２２４ａは軸部２１４ａに対して密着して包持し得るように設定されており、第二の保持体構成部材２２が第一の保持体構成部材２１に対して自重によって回転し難いようになっている。このようにすることで、取り付け時において第二の保持体構成部材２２の第一の保持体構成部材２１に対する姿勢が定まらず煩わしさが生じるという不具合を抑制している。
【００５２】
ヒンジ部ｊは、平面視において第一、第二の操作部ｂ、ｄ側すなわち後側に設けられており、接続機構ｋは平面視において第一、第二のアームａ、ｃ側すなわち前側に設けられている。つまり、第一、第二のアームａ、ｃの開閉位置方向に対応して、第一、第二の保持体構成部材２１、２２の開閉端部２１ａ、２２ａが開閉し得るようになっており、装着時に作業の迅速に寄与し得るものとなる。
【００５３】
シート保持体２は、半割筒状をなしている樹脂製の第一の保持体構成部材２１と半割筒状をなしている樹脂製の第二の保持体構成部材２２とによって構成されている。そして、これら第一、第二の保持体構成部材２１、２２の端縁同士を突き合わせることにより筒状をなすシート保持体２を形成し得るようになっている。第一の保持体構成部材２１と第二の保持体構成部材２２は、果実の軸Ｈを囲うようにして相互に取り付けられるものである。換言すれば、第一の保持体構成部材２１と第二の保持体構成部材２２とは、相互に取り付けられた状態で、果実の軸Ｈを囲うことができるようになっている。
【００５４】
第一の保持体構成部材２１は、天壁２ｄを構成するための天壁構成部２１１と、筒状部２ｃを構成するための筒状部構成部２１２と、シート保持部２ａを構成するための外面に前記傾斜面２１３ａを有したシート保持部構成部２１３と、大径筒状部２ｅを構成するための前記軸部２１４ａ及び係合凹部２１４ｂを有した大径筒状部構成部２１４と、軸通路２ｂを構成するための空間を有した軸通路構成部２１５とを備えている。
【００５５】
第二の保持体構成部材２２は、天壁２ｄを構成するための前記係合部２２１ａ及び前記外縁部２２１ｂを有した天壁構成部２２１と、筒状部２ｃを構成するための筒状部構成部２２２と、シート保持部２ａを構成するための外面に傾斜面２２３ａを有したシート保持部構成部２２３と、大径筒状部２ｅを構成するための前記軸保持部２２４ａ及び係合突部２２４ｂを有した大径筒状部構成部２２４と、軸通路２ｂを構成するための空間を有した軸通路構成部２２５とを備えている。
【００５６】
軸保持体１を構成する第一のクリップ部材１１とシート保持体２を構成する第一の保持体構成部材２１とは樹脂により一体に形成されている。より具体的には、第一のアームａの下端部と第一の保持体構成部材２１の天壁構成部２１１の上端部とは樹脂により一体に接続している。つまり、第一のクリップ部材１１と第一の保持体構成部材２１とは、一体的に動作することになる。
【００５７】
軸保持体１の第一、第二のクリップ部材１１、１２及びシート保持体２は、樹脂により形成されるものであり、それらは比較的明度が高い色（オレンジ色や黄色や黄緑色等）に着色されている。このようにすることで、種なしブドウの生産、果実Ｆの落下防止、或いは果実Ｆの成長促進などのために行われるジベレリン処理が行われたことを示す目印としても有効に機能するようにしている。
【００５８】
次いで、本実施形態に係る取付具Ｇの果実の軸Ｈに対する装着等について説明する。なお、以下の説明はあくまでもブドウに対する装着等に関する一例を説明するものであり、装着等が以下の説明に限られるものではない。
【００５９】
ブドウの果実Ｆ（幼果の段階）に対してジベレリン処理を施した後に、当該果実Ｆを保持する果実の軸Ｈに対して取付具Ｇを取り付ける。取付具Ｇは、ジベレリン処理として透明な薬液を使用した場合に処理が完了した目印の役割も果たす。
【００６０】
シート保持体２を構成する第一、第二の保持体構成部材２１、２２の開閉端部２１ａ、２２ａ側の接続を解除し離れた状態にしておく。具体的には大径筒状部２ｅの接続機構ｋによる接続（係合凹部２１４ｂと係合突部２２４ｂとの係合）を解除し、果実の軸Ｈを軸通路２ｂに導くことができるようにしておく。取付具Ｇは、回動範囲規制機構ｔを設けているので、第二の保持体構成部材２２の開閉端部２２ａが第一の保持体構成部材２１から過度に離れてしまい、作業者による軸保持体１の操作に支障をきたすことが抑制されている。また、取付具Ｇは、連動機構ｒを設けているので、軸保持体１を開方向に操作するだけで、一定の位置から第一、第二の保持体構成部材２１、２２の開閉端部２１ａ、２２ａ側の接続を解除することができるようになっている。
【００６１】
次いで、軸保持体１により、果実の軸Ｈを把持する。具体的には、手指により、第一のクリップ部材１１の第一の操作部ｂと第二のクリップ部材１２の第二の操作部ｄとをスプリング１３の付勢力に抗して相寄る方向に寄せ、第一のアームａと第二のアームｃとを相離れる方向（開方向）に一時的に移動し、その間に、当該第一のアームａと第二のアームｃとの間に果実の軸Ｈを位置させる。その後、第一、第二の操作部ｂ、ｄに対する操作を解除することにより、スプリング１３の付勢力にしたがって第一、第二のアームａ、ｃを閉方向に移動させて果実の軸Ｈを挟持する。
【００６２】
しかる後に、第一、第二の保持体構成部材２１、２２の開閉端部２１ａ、２２ａ側を接続する。具体的には、大径筒状部２ｅの接続機構ｋを構成する係合凹部２１４ｂと係合突部２２４ｂとを係合させる。
【００６３】
以上により、果実の軸Ｈに対する取付具Ｇの装着が完了する。
【００６４】
続いて、取付具Ｇに対して保護シートＳを装着する。この実施形態では、保護シートＳの収容孔ｓ１２を構成する端縁ｓ１１部分を、筒状部２ｃの外面に添接するようにして当該筒状部２ｃに巻回する。保護シートＳが取付具Ｇに巻回されて一定の笠形状が形成された段階で、図示しないステープラー等の止着具により保護シートＳの形状を固定する。これにより、取付具Ｇに対する保護シートＳの取り付けが完了する。保護シートＳは、その自重により端縁ｓ１１がシート保持体２のシート保持部２ａと係わり合い、落下しない状態となる。
【００６５】
以上詳述したように、本実施形態に係る取付具Ｇは、果実の軸Ｈを保持する軸保持体１と、この軸保持体１の下側に配設され果実保護シートＳを保持するシート保持体２とを備えている。このため、果実保護シートＳと果実の軸Ｈとの間にシート保持体２が介在することになるため果実保護シートＳが果実の軸Ｈとこすれ合い、果実の軸Ｈに擦り傷が生じてしまうという不具合の発生を防止ないし抑制することができるものとなる。
【００６６】
軸保持体１が第一、第二のアームａ、ｃを備えており、これら第一、第二のアームａ、ｃが果実の軸Ｈを両側から挟むことにより当該果実の軸Ｈを保持するようにしている。このため、果実の軸Ｈを好適に保持することができるものとなる。
【００６７】
シート保持体２が、果実保護シートＳと係わり合って当該果実保護シートＳを保持するためのシート保持部２ａを備えている。このため、果実保護シートＳを好適に保持し得るものとなる。
【００６８】
シート保持体２が、果実保護シートＳの端縁ｓ１１と係わり合って当該果実保護シートＳを保持するためのシート保持部２ａを備えており、前記シート保持部２ａが前記果実保護シートＳの端縁ｓ１１と係わり合う傾斜面２１３ａ、２２３ａを備えている。このため、果実保護シートＳを接着剤等の格別な保持手段を用いることなく、傾斜面２１３ａ、２２３ａを利用して好適に保持し得るものとなる。
【００６９】
前記軸保持体１が、第一のアームａとこの第一のアームａを操作するための第一の操作部ｂとを有した第一のクリップ部材１１と、第二のアームｃとこの第二のアームｃを操作するための第二の操作部ｄとを有し前記第一のクリップ部材１１に対して相対移動し得る第二のクリップ部材１２と、前記第一、第二のアームａ、ｃを閉方向に付勢する弾性体１３とを備えている。そして、かかる構成のもとで、前記第一、第二のアームａ、ｃが前記果実の軸Ｈを挟むことにより当該果実の軸Ｈを保持するようにしている。このため、第一、第二の操作部ｂ、ｄを操作して、第一、第二のアームａ、ｃが果実の軸Ｈを挟むことができるため、果実の軸Ｈに対する装着を好適に行い得るものとなる。
【００７０】
シート保持体２が、前記果実の軸Ｈが通過し得る軸通路２ｂを備えているため、果実のの軸Ｈの周囲を取り囲む構成を好適に実現し得るものとなる。
【００７１】
シート保持体２が、第一の保持体構成部材２１と第二の保持体構成部材２３とを備えたものであり、これら第一の保持体構成部材２１と第二の保持体構成部材２３とが、前記果実の軸Ｈを囲うようにして取り付けられるものである。このため、果実の軸Ｈの周囲を取り囲む構成を好適に実現し得るものとなる。
【００７２】
前記第一のクリップ部材１１と前記第一の保持体構成部材２１とが一体に形成されているものであるため、果実の軸Ｈに対する取り付け及び取り外しが便宜なものとなる。
【００７３】
軸保持体１とシート保持体２との間、より具体的には、第二のクリップ部材１２と第二の保持体構成部材２２との間に連動機構ｒを設けている。このため、果実の軸Ｈに装着する際には、軸保持体１のみが開方向に操作されてしまい、第二の保持体構成部材２２が第一の保持体構成部材２１に対して開く方向に回転しないという不具合が解消されるため、装着時における作業性の向上に寄与し得るものとなる。さらには、役割を果たして果実の軸Ｈから離脱させる際には、軸保持体１を開方向に操作するだけで、第二の保持体構成部材２２も第一の保持体構成部材２１に対して離れる方向に回転するため、回収時における作業性の向上も寄与し得るものとなる。
【００７４】
なお、連動機構ｒは、図１２及び図１３に示すように、第一のアームａと第二のアームｂとが一定の間隔に開いた段階で初めて第二の保持体構成部２２に作用するようになっているため、その前段階では軸保持体１のみを開閉操作することが可能になっている。このため、軸保持体１を操作するだけで無理なく保護シートＳの上下位置を調整することができ、例えば、収容孔ｓ１２が拡開してしまうといった保護シートＳの損傷を好適に回避することができるものとなる。
【００７５】
また、成長に伴って果実の軸Ｈが太くなっても、シート保持体２の第一、第二の保持体構成部材２１、２２が開かないように設定されているので雨水の侵入を好適に抑制できるものとなっている。
【００７６】
軸保持体１とシート保持体２との間、より具体的には、図１１に示すように、第二のクリップ部材１２と第二の保持体構成部材２２との間に回動範囲規制機構ｔを設けている。このため、果実の軸Ｈに装着する際に、第二の保持体構成部材２２が第一の保持体構成部材２１に対して過度に開き過ぎてしまい、軸保持体１の操作に支障を来すという不具合を抑制し得るものとなり、装着時における作業性の向上に寄与し得るものとなる。
【００７７】
なお、回動範囲規制機構ｔは、弾性体１３の付勢力を利用して第二の保持体構成部材２２を第一の保持体構成部材２１に向かって閉方向に押し出す機能も発揮し得るものとなっている。
【００７８】
なお、本発明は以上に述べた実施形態に限定されるものではない。
【００７９】
取付具は、どのような果実の軸に装着してもよく、ブドウの果実を保護するものに限られない。例えば、リンゴ、ナシ、ミカン、モモ等の果実を保護するためのものであってもよい。
【００８０】
保護シートは、樹脂製のものに限られるものではなく、一定の撥水性を有した紙製のものや布製のものであってもよいし、シート状の素材が用いられているものであれば、その形状はどのようなものであってもよい。
【００８１】
果実の軸を保持する軸保持体は、果実の軸を保持することができるものであればよく、上述した実施形態のものに限られるものではない。すなわち、軸保持体は、果実の軸を挟んで支持するものには限られない。例えば、軸保持体を、可撓性のある素材を果実の軸に巻回するようなものとしてもよい。
【００８２】
保護シートを保持するシート保持体は、保護シートを保持することができればよく、上述した実施形態のものに限られるものではない。例えば、シート保持体を、保護シートの特定の部位が接着し得る接着部分を設けたものとしてもよいし、保護シートの特定の部位に貫通して係わり合う針状の部分を設けたものとしてもよい。
【００８３】
その他、本発明の趣旨を損ねない範囲で種々に変形してよい。
【符号の説明】
【００８４】
１…軸保持体（軸保持クリップ）
２…シート保持体
Ｆ…果実
Ｇ…果実保護シート取付具（取付具）
Ｈ…果実の軸
Ｓ…果実保護シート（保護シート）
【図１】
0005989734.tif 000002
【図２】
0005989734.tif 000003
【図３】
0005989734.tif 000004
【図４】
0005989734.tif 000005
【図５】
0005989734.tif 000006
【図６】
0005989734.tif 000007
【図７】
0005989734.tif 000008
【図８】
0005989734.tif 000009
【図９】
0005989734.tif 000010
【図１０】
0005989734.tif 000011
【図１１】
0005989734.tif 000012
【図１２】
0005989734.tif 000013
【図１３】
0005989734.tif 000014
【図１４】
0005989734.tif 000015
【図１５】
0005989734.tif 000016